(57)【特許請求の範囲】
【請求項１】
複数の切込みが略半分ずつピッチをずらして互い違いに２列に並べられ、その２列の切込みで挟まれた帯状部分により構成されるジッパーであって、各切込みは、破断方向と同一方向の主体部と、主体部の破断方向の後端から鈍角で斜め内側に突き出た前方屈曲部と、主体部の破断方向の前端から鈍角で斜め内側に突き出た後方屈曲部とからなっており、一つの切込みにおける前方屈曲部の先端の位置が、その前の切込みにおける後方屈曲部の先端の位置より内側にあり、一つの切込みにおける後方屈曲部の延長線がその次の切込みにおける前方屈曲部に突き当たるように、前方屈曲部と後方屈曲部の角度と長さが決められており、切込みの主体部における破断方向後寄りのところにツナギが設けられ、そのツナギが向かい側にある切込みの不連続部分と破断方向の位置が重ならないようになっていることを特徴とするジッパー。
【請求項２】
請求項１に記載のジッパーを破断を必要とする部位に組み込んだことを特徴とする紙カートン。
【発明の詳細な説明】
【技術分野】
【０００１】
本発明は、板紙からなるカートンの技術分野に属し、特に、菓子類を始めとして、化粧品、医薬品、各種小物などを収納して販売するための紙カートンの開封や分割に使用されるジッパーに関するものである。
【背景技術】
【０００２】
従来、この種の紙カートンを開封したり分割したりするための一手段として、複数の切込みを２列に並べ、その２列の切込みで挟まれた帯状部分により構成したジッパーが用いられている。このジッパーは、破断方向で見て後側が内向きに折れ曲がった切込みや、両端がそれぞれ内側に折れ曲がった切込みを２列に並べてあり、先端に設けた摘み部分を引っ張ることでジッパーの部分を引き裂いて開封したり分割したりすることができる。このようなジッパーは、原反からブランクを打ち抜く工程で押罫やミシン目などともに同時に形成されており、特別の工程を必要としないで紙カートンに組み込まれるものである。
【先行技術文献】
【特許文献】
【０００３】
【特許文献１】実開昭６３−２８６２８号公報
【特許文献２】実開平２−４００２５号公報
【特許文献３】特開２００２−５９９１９号公報
【発明の概要】
【発明が解決しようとする課題】
【０００４】
上記した従来のジッパーは、切込み同士の間が連続して破断されるようにするため、切込みの一端に、さらには両端に内向きの折れ曲がり部分を有している。そして、２列に並べた切込みは、折れ曲がり部分が向かい合っており、その向かい合った先端の間隔でジッパー部分の強度が決まるため、２列の切込みの並びには例えば１０ｍｍ程度の幅が必要である。一方、カートンにおいてジッパーを設ける位置など外観デザイン上の観点、或いは、用紙削減等の観点から、これよりも幅の狭いジッパーの出現が望まれている。
【０００５】
本発明は、このような事情に鑑みてなされたものであり、その目的とするところは、紙カートンに組み込まれるジッパーであって、幅を狭くしながらも強度を確保したジッパーを提供することにある。
【課題を解決するための手段】
【０００６】
上記の目的を達成するため、本発明に係るジッパーは、複数の切込みが略半分ずつピッチをずらして互い違いに２列に並べられ、その２列の切込みで挟まれた帯状部分により構成されるジッパーであって、各切込みは、破断方向と同一方向の主体部と、主体部の破断方向の後端から鈍角で斜め内側に突き出た前方屈曲部と、主体部の破断方向の前端から鈍角で斜め内側に突き出た後方屈曲部とからなっており、一つの切込みにおける前方屈曲部の先端の位置が、その前の切込みにおける後方屈曲部の先端の位置より内側にあり、一つの切込みにおける後方屈曲部の延長線がその次の切込みにおける前方屈曲部に突き当たるように、前方屈曲部と後方屈曲部の角度と長さが決められており、切込みの主体部における破断方向後寄りのところにツナギが設けられ、そのツナギが向かい側にある切込みの不連続部分と破断方向の位置が重ならないようになっていることを特徴とする。
【０００８】
また、本発明の紙カートンは、上記構成からなるジッパーを破断を必要とする部位に組み込んだものである。
【発明の効果】
【０００９】
本発明のジッパーは、両端が内側に折れ曲がった切込みを互い違いに２列に並べて構成されるので、幅を５ｍｍ程度まで狭くしても強度を確保することができ、紙カートンにおける幅の狭い領域に設けたり、外観デザインを考慮した適切な部位に設けたりすることができる。そして、各切込みにおける主体部の破断方向の前端に内側へと誘導する後方屈曲部が連続しており、しかもその延長線が次の切込みの前方屈曲部に突き当たるように形成されているので、引き裂く途中に捻じれや方向のずれがあっても綺麗に引き裂くことができる。
【００１０】
また、切込みの主体部における破断方向後寄りのところにツナギを設けるようにし、そのツナギが向かい側にある切込みの不連続部分と破断方向の位置が重ならないようにしたことにより、紙カートンを組み立てるブランクのサック貼り工程において、ブランク同士が擦れても切込みがささくれ立つことが防止されるし、相対する２つの切込みの不連続部分にツナギが重なって層間剥離を起こすような事態を避けることができる。
【図面の簡単な説明】
【００１１】
【図１】本発明に係るジッパーを使用した紙カートンの一例を示す斜視図である。
【図２】図１に示す紙カートンを組み立てるブランクの展開図である。
【図３】図２に示すブランクにおける天面パネルに連設する右側の側面パネルに設けたジッパーの一部を拡大した説明図である。
【図４】図１に示す紙カートンをその側面を開けた状態で示す斜視図である。
【発明を実施するための形態】
【００１２】
図１は本発明に係るジッパーを組み込んだ紙カートンの一例を示すもので、この紙カートンは図２に示すブランクを組み立てて形成されている。
【００１３】
図２のブランクは、紙器用の板紙を打ち抜いて形成されたもので、図示の如く、押罫からなる折線ａ，ｂ，ｃ，ｄを介して前面パネル１１、底面パネル１２、背面パネル１３、天面パネル１４、フラップパネル１５が順次連設されている。そして、底面パネル１２の左右辺には折線ｅ，ｆを介してそれぞれ底面側の側面パネル１６，１７が連設され、背面パネル１３の左右辺には折線ｇ，ｈを介してそれぞれ折込みフラップ１８，１９が連設され、天面パネル１４の左右辺には折線ｉ，ｊを介してそれぞれ天面側の側面パネル２０，２１が連設され、フラップパネル１５の左右辺には折線ｋ，ｌを介してそれぞれ折込みフラップ２２，２３が連設されている。
【００１４】
天面パネル１４に連設する一方の側面パネル２１には、一部にツナギを残した切込みにより一方の短辺中央に摘み部分２１ａが区画されており、この摘み部分２１ａを起点として側面パネル２１を縦断する状態で摘み部分２１ａよりも幅の狭いジッパー２４が設けられている。
【００１５】
このジッパー２４は、図３にその一部を拡大して示すように、複数の切込みｚが略半分ずつピッチをずらした互い違いに２列に並べられ、その２列の切込みｚで挟まれた帯状部分により構成されている。そして、各切込みｚは、破断方向（矢印方向）と同一方向の主体部ｚ1 と、主体部ｚ1 の破断方向の後端Ｆから鈍角で斜め内側に突き出た前方屈曲部ｚ2 と、主体部ｚ1 の破断方向の前端Ｇから鈍角で斜め内側に突き出た後方屈曲部ｚ3 とからなっており、一つの切込みｚにおける前方屈曲部ｚ2 の先端Ｅの位置が、その前の切込みｚにおける後方屈曲部ｚ3 の先端Ｈの位置より内側にあり、一つの切込みｚにおける後方屈曲部ｚ3 の延長線が次の切込みｚにおける前方屈曲部ｚ2 に突き当たるように、前方屈曲部ｚ2 と後方屈曲部ｚ3 の角度と長さが決められている。このように、前後に内向きの折れ曲がりがある切込みを互い違いにするので、ジッパー２４は５ｍｍ程度の幅で設計することができる。
【００１６】
この切込みｚには、サック貼り工程でブランク同士が擦れてささくれ立つことを防止するため主体部ｚ1 の途中にツナギｗが残されている。ただし、主体部ｚ1 の中央にツナギｗを残すと、そのツナギｗの位置が向かい側にある切込みｚの不連続部分と破断方向の位置が重なり、この部分でジッパー２４が層間剥離を起こすため、図示の如くツナギｗの位置を切込みｚの破断方向の後寄りにずらしてある。
【００１７】
このように、側面パネル２１にはジッパー２４を設けてあるので、天面パネル１４との境界線である折線ｊはミシン目で形成して折曲げやすくし、折曲げ時にジッパー２４に負担がかからないようにしている。また、フラップパネル１５と折込みフラップ２３の境界には、開封時に摘み部分２１ａに対する指掛けを容易とする窪みを形成するため、折線ｌの途中に押罫を紡錘形とした凹部形成領域２３ａが設けられている。
【００１８】
底面パネル１２には、ジッパー２４を設けた側と反対側の側辺のところに、連続する複数の切込みにより半円状の押圧部１２ａが区画されており、その押圧部１２ａにおける２箇所の根元を起点として側辺に沿って途中までミシン目が形成され、さらにそのミシン目に繋がって末広がり状に延びる開封用の２筋の破断線Ｌが側面パネル１６の先端コーナーに至るまで形成されている。これら２筋の破断線Ｌは、開封時には各切込みに対して内向きの力が掛かって破断されるため、図示のように、破断方向で見て後側が内向きに折れ曲がった形状の切込みを連続させ、破断が途切れないようにしている。
【００１９】
図２のブランクは、前面パネル１１の表側にフラップパネル１５の裏側を貼り合わせたサック貼り状態とされる。そして、このサック貼りされたものが複数枚をまとめて製函工程へと送られる。
【００２０】
サック貼り状態のブランクから紙カートンを組み立てるには、まず、折り畳んだブランクを角筒状に起こした後、一方の端面側で、折込みフラップ１９，２３をそれぞれ内側に折り曲げてから、底面側の側面パネル１７と天面側の側面パネル２１を順次折り曲げて貼り合わせる。このとき、側面パネル２１のジッパー２４より外側の領域で糊付けする。
【００２１】
このように一方の端面だけを閉じた状態で他方の開いた方から内容物を投入する。そして、他方の端面側で、折込みフラップ１８，２２をそれぞれ内側に折り曲げてから、底面側の側面パネル１６と天面側の側面パネル２０を順次折り曲げて貼り合わせる。これにより図１に示す紙カートンが製函される。
【００２２】
図１に示す紙カートンから内容物を取り出すに際しては、図４に示すように側面を開ける。このように紙カートンの側面を開けるには、前面パネル１５の右端にある凹部形成領域１５ｂでできた窪みを利用し、天面側の側面パネル２１に設けられた摘み部分２１ａを指で把持して引っ張る。このように摘み部分２１ａを指で把持して引っ張ることにより、それに繋がるジッパー２４を破断してそのまま破り去って側面パネル２１を上下に２分する。破断された側面パネル２１の先端側は底面側の側面パネル１７の表側にくっ付いた状態のままで側面が開封される。
【００２３】
このように切込みｚが２列に並んだジッパー２４を破り去るが、各切込みｚにおける主体部ｚ1 の破断方向の前端Ｇに内側へと誘導する後方屈曲部ｚ3 が連続しており、しかもその延長線が次の切込みｚの前方屈曲部ｚ3 に突き当たるように形成されているので、引き裂く途中に捻じれや方向のずれがあっても綺麗に引き裂くことができる。また、サック貼り工程でのささくれ立ちを防止するために各切込みｚにはその主体部ｚ1 にツナギｗを残しているが、このツナギｗの位置は切込みｚの破断方向の中央ではなく後寄りにずらしてあるので、相対する２つの切込みｚの不連続部分にツナギｗが重なって層間剥離を起こすような事態は生じない。
【００２４】
図４に示すように、側面を開けて内容物を取り出した後、空になった紙カートンはこの場合も簡単に減容化して廃棄することができる。すなわち、底面パネル１２にはジッパー２４を設けた側と反対側に押圧部１２ａが形成されているので、この部分を指先で押圧して破断し、そのまま外向きに引っ張ることにより、押圧部１２ａに続く側辺のミシン目から破断線Ｌ3 へと破断が進んで側面パネル１６が破断され、その結果、側面での支持がなくなり、紙カートンはサック貼りの状態で平らな状態になる。
【００２５】
以上、本発明を実施するための形態について詳細に説明してきたが、本発明によるジッパー及びそれを使用した紙カートンは、カートンのタイプ、ジッパーを設ける場所など、上記の実施形態に何ら限定されるものではなく、本発明の趣旨を逸脱しない範囲において種々の変更が可能であることは当然のことである。
【符号の説明】
【００２６】
１１  前面パネル
１２  底面パネル
１３  背面パネル
１４  天面パネル
１５  フラップパネル
１６，１７  側面パネル
１８，１９  折込みフラップ
２０，２１  側面パネル
２１ａ  摘み部分
２２，２３  折込みフラップ
２３ａ  凹部形成領域
２４  ジッパー
Ｌ  破断線
ａ〜ｌ  折線
ｕ，ｖ，ｗ  ツナギ
ｚ  切込み
ｚ1   主体部
ｚ2   前方屈曲部
ｚ3   後方屈曲部
Ｅ  先端
Ｆ  後端
Ｇ  前端
Ｈ  先端
【図１】
0005633798.tif 000002
【図２】
0005633798.tif 000003
【図３】
0005633798.tif 000004
【図４】
0005633798.tif 000005